(57)【特許請求の範囲】
【請求項１】
無線基地局装置とコアネットワークとにそれぞれ所定のインタフェースで接続される無線制御装置であって、
データリンクレイヤのプロトコル処理を行うメディアアクセス制御部及び無線リンク制御部を備え、
前記無線リンク制御部は、論理チャネル毎の受信バッファを備え、
前記メディアアクセス制御部は、論理チャネルのフロー制御を行うフロー制御部を備え、
前記フロー制御部は、前記無線基地局装置側で決定されＦＰ（Ｆｒａｍｅ  Ｐｒｏｔｏｃｏｌ）レイヤにて通知されるトランスポートチャネルの最大伝送レートと、前記無線リンク制御部の論理チャネル毎の受信バッファ蓄積量のそれぞれの通知情報から、前記論理チャネルの伝送レートを算出し、前記無線リンク制御部の論理チャネルに対する伝送レートの通知をＦＰレイヤで行う、ことを特徴とする無線制御装置。
【請求項２】
前記フロー制御部は、前記トランスポートチャネルの最大伝送レートと、前記無線リンク制御部の複数の論理チャネルの受信バッファ蓄積量のうちのいずれか１つでも新たな通知を受けた場合に、前記論理チャネルの伝送レートを算出し、前記無線リンク制御部の論理チャネルへの伝送レートの通知をリアルタイムで行う、ことを特徴とする請求項１記載の無線制御装置。
【請求項３】
前記フロー制御部は、パケット通信中にリアルタイムに変化するトランスポートチャネルの最大伝送レートと、前記複数の論理チャネルの受信バッファ蓄積量に基づき、前記複数の論理チャネルの伝送レートを、前記最大伝送レートを前記複数の受信バッファ蓄積量の比で分割した値にそれぞれ設定する、ことを特徴とする請求項１記載の無線制御装置。
【請求項４】
前記メディアアクセス制御部は、前記無線制御装置内の無線リンク制御部から送信される複数の論理チャネルを１つのトランスポートチャネルに多重して前記無線基地局装置に伝送する制御を行い、前記フロー制御部により前記論理チャネルのフロー制御が行われる、ことを特徴とする請求項１記載の無線制御装置。
【請求項５】
前記メディアアクセス制御部で前記多重を行わない場合、前記フロー制御部は、１つの論理チャネルにトランスポートチャネルの最大伝送レートを割り当てる、ことを特徴とする請求項４記載の無線制御装置。
【請求項６】
前記フロー制御部は、データリンクレイヤで伝送される、論理チャネルの優先度情報を用いて、前記論理チャネルの伝送レートを算出する、ことを特徴とする請求項１記載の無線制御装置。
【請求項７】
無線基地局装置と、請求項１乃至６のいずれか一に記載の無線制御装置とを備えた移動体パケット通信システム。
【請求項８】
無線基地局装置とコアネットワークとにそれぞれ所定のインタフェースで接続される無線制御装置のメディアアクセス制御部内に配設されたフロー制御部が、前記無線基地局装置で決定されＦＰ（Ｆｒａｍｅ  Ｐｒｏｔｏｃｏｌ）レイヤで通知されるトランスポートチャネルの最大伝送レートと、前記無線制御装置の無線リンク制御部の論理チャネル毎の受信バッファ蓄積量のそれぞれの通知情報から、前記論理チャネルの伝送レートを算出し、
前記フロー制御部が、前記無線リンク制御部の論理チャネルに伝送レートの通知をＦＰレイヤで行う、
上記各工程を含む、ことを特徴とする、移動体パケット通信ノードにおけるＭＡＣ多重のフロー制御方法。
【請求項９】
前記フロー制御部は、前記トランスポートチャネルの最大伝送レート、論理チャネルの受信バッファ蓄積量のうち、いずれかでも新たな通知を受けた場合に、前記論理チャネルへの最適な伝送レートを算出し、論理チャネルへの伝送レートの通知をリアルタイムで行う、ことを特徴とする請求項８記載の、移動体パケット通信ノードにおけるＭＡＣ多重のフロー制御方法。
【請求項１０】
前記フロー制御部は、パケット通信中にリアルタイムに変化するトランスポートチャネルの最大伝送レートと、複数の論理チャネルの受信バッファ蓄積量に基づき、前記複数の論理チャネルの伝送レートを、前記最大伝送レートを前記複数の受信バッファ蓄積量の比で分割した値にそれぞれ設定する、ことを特徴とする請求項８記載の、移動体パケット通信ノードにおけるＭＡＣ多重のフロー制御方法。
【請求項１１】
前記メディアアクセス制御部は、前記無線制御装置内の無線リンク制御部から送信される複数の論理チャネルを１つのトランスポートチャネルに多重して前記無線基地局装置に伝送する制御を行い、前記フロー制御部により前記論理チャネルのフロー制御が行われる、ことを特徴とする請求項８記載の、移動体パケット通信ノードにおけるＭＡＣ多重のフロー制御方法。
【請求項１２】
前記メディアアクセス制御部で前記多重を行わない場合、前記フロー制御部は、１つの論理チャネルにトランスポートチャネルの最大伝送レートを割り当てる、ことを特徴とする請求項１１記載の、移動体パケット通信ノードにおけるＭＡＣ多重のフロー制御方法。
【請求項１３】
前記フロー制御部は、データリンクレイヤで伝送される、論理チャネルの優先度情報を用いて、前記論理チャネルの伝送レートを算出する、ことを特徴とする請求項８記載の、移動体パケット通信ノードにおけるＭＡＣ多重のフロー制御方法。
【請求項１４】
無線基地局装置とコアネットワークとにそれぞれ所定のインタフェースで接続され、データリンクレイヤのプロトコル処理を行うメディアアクセス制御部内に、論理チャネルのフロー制御を行うフロー制御部を備えた無線制御装置を構成するコンピュータに、
前記フロー制御部での処理として、
前記無線基地局装置で決定されＦＰ（Ｆｒａｍｅ  Ｐｒｏｔｏｃｏｌ）レイヤで通知されるトランスポートチャネルの最大伝送レートと、前記無線制御装置内の無線リンク制御部の論理チャネル毎の受信バッファ蓄積量のそれぞれの通知情報から、前記論理チャネルの伝送レートを算出する処理と、
前記無線リンク制御部の論理チャネルに伝送レートの通知をＦＰレイヤで行う処理と、
を実行させるプログラム。
【請求項１５】
請求項１４記載のプログラムにおいて、
前記無線リンク制御部から送信される複数の論理チャネルを１つのトランスポートチャネルに多重して前記無線基地局装置に伝送し、論理チャネルのフロー制御を行う前記メディアアクセス制御部での処理を、前記コンピュータに実行させるプログラム。
【請求項１６】
請求項１４記載のプログラムにおいて、
前記フロー制御部での処理として、前記トランスポートチャネルの最大伝送レート、論理チャネルの受信バッファ蓄積量のうち、いずれかでも新たな通知を受けた場合に、前記論理チャネルへの最適な伝送レートを算出し、論理チャネルへの伝送レートの通知をリアルタイムで行う処理を、前記コンピュータに実行させるプログラム。
【請求項１７】
請求項１４記載のプログラムにおいて、
前記フロー制御部での処理として、パケット通信中にリアルタイムに変化するトランスポートチャネルの最大伝送レートと、複数の論理チャネルの受信バッファ蓄積量に基づき、前記複数の論理チャネルの伝送レートを、前記受信バッファ蓄積量の比で前記最大伝送レートを分割した値にそれぞれ設定する処理を、前記コンピュータに実行させるプログラム。
【請求項１８】
請求項１４記載のプログラムにおいて、
前記メディアアクセス制御部の処理として、前記無線制御装置内の無線リンク制御部から送信される複数の論理チャネルを１つのトランスポートチャネルに多重して前記無線基地局装置に伝送する制御を行う処理を、前記コンピュータに実行させるプログラム。
【請求項１９】
請求項１８記載のプログラムにおいて、
前記メディアアクセス制御部で前記多重を行わない場合、前記フロー制御部が、１つの論理チャネルにトランスポートチャネルの最大伝送レートを割り当てる処理を、前記コンピュータに実行させるプログラム。
【請求項２０】
請求項１４記載のプログラムにおいて、
前記フロー制御部が、データリンクレイヤで伝送される、論理チャネルの優先度情報を用いて、前記論理チャネルの伝送レートを算出する処理を、前記コンピュータに実行させるプログラム。
【発明の詳細な説明】
【技術分野】
【０００１】
本発明は、移動体パケット通信ノードシステムにおけるＭＡＣ多重のリアルタイムフロー制御方法と装置並びにプログラムに関する。
【背景技術】
【０００２】
従来のＭＡＣ（Ｍｅｄｉａ  Ａｃｃｅｓｓ  Ｃｏｎｔｒｏｌ）多重のフロー制御においては、
（ａ）トランスポートチャネルの最大伝送レートを各論理チャネルに対して均等に分割する均等分割や、
（ｂ）各論理チャネルに対し最大伝送レートを割り当てておき、メディアアクセス制御部にて、最大伝送レートにシェイピングを行うレート制限、
が一般的に採用される。
【０００３】
なお、特許文献１には、第三世代携帯電話通信システム（Ｒｅｌ９９）に、異なるＱｏＳを有するトラフィックとしてＨＳＤＰＡ（Ｈｉｇｈ  Ｓｐｅｅｄ  Ｄｏｗｎｌｉｎｋ  Ｐａｃｋｅｔ  Ａｃｃｅｓｓ；高速ダウンリンクアクセス）のトラフィックをサポートする方法が開示されている。また特許文献２には、ＵＴＲＡＮ（Universal mobile telecommunication services terrestrial radio access network；汎用移動通信サービス地上無線アクセスネットワーク）のネットワーク要素にＨＳＤＰＡデータをＩｕｂインタフェース経由で送信するための方法が開示されている。しかしながら、特許文献１、２には、データリンクレイヤで行われるＭＡＣ多重の論理チャネルの伝送レートのリアルタイム制御については、記載されていない。
【０００４】
【特許文献１】特開２００３−２２９９０１号公報
【特許文献２】特開２００５−５０１４９４号公報
【発明の開示】
【発明が解決しようとする課題】
【０００５】
前述した従来のシステムは、次のような問題点を有する。
【０００６】
上記（ａ）の場合、最大伝送レートを均等分割することで、伝送レートの分割損が発生する。
【０００７】
例えば、トランスポートチャネルに２つの論理チャネルＡとＢを多重している状態で、トランスポートチャネルの最大伝送レート＝１０の場合には、ＡとＢの論理チャネルに対して５を割り当てるが、２つの論理チャネルＡとＢの受信バッファ蓄積量がそれぞれ、Ａ＝８、Ｂ＝２の場合、各論理チャネルの伝送レートが５に割り当てられていることから、Ａ＝５、Ｂ＝２の伝送レートで送信する。
【０００８】
このとき、ＭＡＣ多重後のトランスポートチャネルの伝送レートは、５＋２、すなわち合計＝７となり、最大伝送レート＝１０に対して、３の損失が出てしまう。論理チャネルＡの受信バッファには、３が残っている状態となり、最適なフロー制御が行われているとはいえない。
【０００９】
一方、上記（ｂ）の場合、各論理チャネルが最大伝送レートでデータ送信した場合、その論理チャネルを単純に多重すると、トランスポートチャネルの最大伝送レートを超えてしまうことから、各論理チャネルの伝送レートを、最大伝送レート以下に抑えるシェイピングが必要となる。
【００１０】
更に、シェイピングを行うことで溢れたパケットデータは、メディアアクセス制御部にバッファリングする必要から、シェイピング用のデータバッファを設ける必要があり、メモリ量の増加に繋がる。
【００１１】
また、トランスポートチャネルの最大伝送レートに対するシェイピングでは、論理チャネル間の伝送レートを最適に割り当てることはできない。
【００１２】
本発明は、前記課題を解決するために創案されたものであって、その目的は、最適に各論理チャネルの伝送レートを算出し、最適なフロー制御を実現可能とする装置とシステム並びに方法とプログラムを提供することにある。本発明の他の目的は、上記最適なフロー制御をリアルタイムで実現可能とする装置とシステム並びに方法とプログラムを提供することにある。
【課題を解決するための手段】
【００１３】
本願で開示される発明は、前記課題を解決するため、概略以下の構成とされる。
【００１４】
本発明は、メディアアクセス制御部に、フロー制御部を備え、無線基地局装置で決定され、ＦＰレイヤで通知されるトランスポートチャネルの最大伝送レートと、無線リンク制御部の論理チャネル毎の受信バッファ蓄積量により、パケット通信中の状態変化を、ＦＰレイヤで通知する構成としたことで、リアルタイムなフロー制御を可能としており、トランスポートチャネルの最大伝送レートを各論理チャネルに対し最適に割り当てることを可能としている。
【００１５】
本発明の１つの側面（アスペクト）に係る装置は、無線基地局装置とコアネットワークとにそれぞれ所定のインタフェースで接続される無線制御装置であって、データリンクレイヤのプロトコル処理を行うメディアアクセス制御部及び無線リンク制御部を備え、前記無線リンク制御部は、論理チャネル毎の受信バッファを備え、前記メディアアクセス制御部は、論理チャネルのフロー制御を行うフロー制御部を備え、前記フロー制御部は、前記無線基地局装置側で決定されＦＰ（Ｆｒａｍｅ  Ｐｒｏｔｏｃｏｌ）レイヤにて通知されるトランスポートチャネルの最大伝送レートと、前記無線リンク制御部の論理チャネル毎の受信バッファの蓄積量のそれぞれの通知情報から、前記論理チャネルの伝送レートを算出し、前記無線リンク制御部の論理チャネルに対する伝送レートの通知をＦＰレイヤで行う。
【００１６】
本発明において、前記フロー制御部は、前記トランスポートチャネルの最大伝送レートと、前記論理チャネルの受信バッファ蓄積量のうちのいずれか１つでも新たな通知を受けた場合に、前記論理チャネルの伝送レートを算出し、前記無線リンク制御部の論理チャネルへの伝送レートの通知をリアルタイムで行う。
【００１７】
本発明において、前記フロー制御部は、パケット通信中にリアルタイムに変化するトランスポートチャネルの最大伝送レートと、前記複数の論理チャネルの受信バッファ蓄積量に基づき、前記複数の論理チャネルの伝送レートを、前記最大伝送レートを前記複数の受信バッファ蓄積量の比で分割した値にそれぞれ設定するようにしてもよい。
【００１８】
本発明において、パケット通信中にリアルタイムに変化するトランスポートチャネルの最大伝送レートをＸとし、第１、第２の論理チャネルの受信バッファ蓄積量をＹ（ｂ）、Ｙ（ｃ）とし、第１、第２の伝送レートＺ（ｂ）、Ｚ（ｃ）を、それぞれ、
Ｚ（ｂ）＝｛Ｘ／（Ｙ（ｂ）＋Ｙ（ｃ））｝×Ｙ（ｂ）、
Ｚ（ｃ）＝｛Ｘ／（Ｙ（ｂ）＋Ｙ（ｃ））｝×Ｙ（ｃ）、
で求める。
【００１９】
本発明において、前記メディアアクセス制御部は、前記無線制御装置内の無線リンク制御部から送信される複数の論理チャネルを１つのトランスポートチャネルに多重して前記無線基地局装置に伝送する制御を行い、前記フロー制御部により前記論理チャネルのフロー制御が行われる。前記メディアアクセス制御部で前記多重を行わない場合、フロー制御部は、１つの論理チャネルにトランスポートチャネルの最大伝送レートを割り当てる。
【００２０】
本発明において、前記フロー制御部が、データリンクレイヤで伝送される、他の任意の情報、例えば論理チャネルの優先度情報を用いて、前記論理チャネルの伝送レートを算出するようにしてもよい。
【００２１】
本発明の他の側面（アスペクト）に係る移動体パケット通信システムは、無線基地局装置と、前記側面で説明した本発明に係る無線制御装置とを備える。
【００２２】
本発明に係る移動体パケット通信システムは、無線基地局装置と、前記無線基地局装置と接続する前記無線制御装置を有する。
【００２３】
本発明の他の側面に係る方法によれば、無線基地局装置とコアネットワークとにそれぞれ所定のインタフェースで接続される無線制御装置が、移動体パケット通信システムでのパケット通信時、データリンクレイヤで行われるＭＡＣ（Ｍｅｄｉａ  Ａｃｃｅｓｓ  Ｃｏｎｔｒｏｌ）多重において、ＦＰ（Ｆｒａｍｅ  Ｐｒｏｔｏｃｏｌ）レイヤにて、パケット通信のフロー制御を行う、ことを特徴とする、移動体パケット通信ノードにおけるＭＡＣ多重のリアルタイムフロー制御方法が提供される。
【００２４】
本発明に係る方法は、無線基地局装置とコアネットワークとにそれぞれ所定のインタフェースで接続される無線制御装置のメディアアクセス制御部内に配設されたフロー制御部が、前記無線基地局装置で決定されＦＰ（Ｆｒａｍｅ  Ｐｒｏｔｏｃｏｌ）レイヤで通知されるトランスポートチャネルの最大伝送レートと、前記無線制御装置の無線リンク制御部の論理チャネル毎の受信バッファ蓄積量のそれぞれの通知情報から、前記論理チャネルの伝送レートを算出し、
前記フロー制御部が、前記無線リンク制御部の論理チャネルに伝送レートの通知をＦＰレイヤで行う、
上記各工程を含む。
【００２５】
本発明に係る方法において、前記フロー制御部は、前記トランスポートチャネルの最大伝送レート、論理チャネルの受信バッファ蓄積量のうち、いずれかでも新たな通知を受けた場合に、前記論理チャネルへの最適な伝送レートを算出し、論理チャネルへの伝送レートの通知をリアルタイムで行う。
【００２６】
本発明に係る方法において、前記フロー制御部は、パケット通信中にリアルタイムに変化するトランスポートチャネルの最大伝送レートと、複数の論理チャネルの受信バッファ蓄積量に基づき、前記複数の論理チャネルの伝送レートを、前記最大伝送レートを前記複数の受信バッファ蓄積量の比で分割した値にそれぞれ設定する。
【００２７】
本発明に係る方法において、前記メディアアクセス制御部は、前記無線制御装置内の無線リンク制御部から送信される複数の論理チャネルを１つのトランスポートチャネルに多重して前記無線基地局装置に伝送する制御を行い、前記フロー制御部により前記論理チャネルのフロー制御が行われる。前記メディアアクセス制御部で前記多重を行わない場合、フロー制御部は、１つの論理チャネルにトランスポートチャネルの最大伝送レートを割り当てる。
【００２８】
本発明の他の側面に係るコンピュータプログラムは、無線基地局装置とコアネットワークとにそれぞれ所定のインタフェースで接続され、データリンクレイヤのプロトコル処理を行うメディアアクセス制御部内に、論理チャネルのフロー制御を行うフロー制御部を備えた無線制御装置を構成するコンピュータに、前記フロー制御部での処理として、前記無線基地局装置で決定されＦＰ（Ｆｒａｍｅ  Ｐｒｏｔｏｃｏｌ）レイヤで通知されるトランスポートチャネルの最大伝送レートと、前記無線制御装置内の無線リンク制御部の論理チャネル毎の受信バッファ蓄積量のそれぞれの通知情報から、前記論理チャネルの伝送レートを算出する処理と、
前記無線リンク制御部の論理チャネルに伝送レートの通知をＦＰレイヤで行う処理と、
を実行させるプログラムよりなる。
【発明の効果】
【００２９】
本発明によれば、トランスポートチャネルの最大伝送レートと多重元の各論理チャネルの受信バッファ蓄積量を用いているため、最適に各論理チャネルの伝送レートを算出することができる。
【００３０】
本発明によれば、パケット通信中の状態変化をリアルタイムにＦＰレイヤにて通知しているので、各論理チャネルの伝送レートをリアルタイムに算出し、ＦＰレイヤで通知することができる。
【００３１】
本発明によれば、簡易な計算式で各論理チャネルの伝送レートを算出しており、フロー制御部を構成を簡易化することができる。
【発明を実施するための最良の形態】
【００３２】
上記した本発明について更に詳細に説述すべく、添付図面を参照して説明する。本発明は、移動体パケット通信ノードシステムにて行われるパケット通信時のデータリンクレイヤで行われるＭＡＣ多重において、ＦＰ（Ｆｒａｍｅ  Ｐｒｏｔｏｃｏｌ）レイヤにて、パケット通信のフロー制御を実現することで、各論理チャネルの送信レートをリアルタイムで制御することを可能とし、トランスポートチャネルの伝送能力を最大限に有効活用できるようにしている。
【００３３】
本発明の一実施の形態によれば、図２を参照すると、システム／サービス固定の最大伝送レート、無線／有線区間の動的な最大伝送レートなどにより決定された「最大伝送レート」、多重元となる論理チャネルの「受信バッファ蓄積量」とが、ＦＰレイヤで、メディアアクセス制御部３内のフロー制御部１１に通知される。
【００３４】
無線制御装置（Ｒａｉｄｏ  Ｎｅｔｗｏｒｋ  Ｃｏｎｔｒｏｌｌｅｒ；「ＲＮＣ」ともいう）において、メディアアクセス制御部３内のフロー制御部１１が、通知された情報を基に、各論理チャネルｃの最適な伝送レートを算出し、算出された伝送レートは、リアルタイムで、各論理チャネルｃへ、ＦＰレイヤにて通知される。以下、実施例に即して説明する。
【実施例１】
【００３５】
図１は、本発明の一実施例のシステム構成を示す図である。図１を参照すると、本実施例の移動体パケット通信ノードにおいて、無線制御装置１は、交換機ネットワークであるコアネットワーク４と、Ｉｕインタフェースａを介して接続され、セル内の移動機６の無線で送受信を行う無線基地局装置（Ｂａｓｅ  Ｔｒａｎｃｅｉｖｅｒ  Ｓｔａｔｉｏｎ；「ＢＴＳ」ともいう）５とＩｕｂインタフェースｂを介して接続され、主に、無線リソースの管理、無線基地局装置５の制御を行う。
【００３６】
無線制御装置１のメディアアクセス制御部３と無線リンク制御部２は、データリンクレイヤ（レイヤ２）のプロトコル処理を行う。
【００３７】
図２は、本発明の一実施例の無線制御装置１の一例として、ＭＡＣ多重時のパケット通信下りデータ転送の装置構成が示されている。
【００３８】
図２において、無線リンク制御部２にて、論理チャネルｃが組立／生成され、メディアアクセス制御部３では、論理チャネルｃとトランスポートチャネルｄの対応をとり、Ｉｕｂインタフェースｂを介して、無線基地局装置５へパケットデータ通信が行われる。
【００３９】
無線リンク制御部２は、Ｉｕインタフェースａから流入したパケットデータを一旦受信バッファ７に格納する。
【００４０】
無線リンク制御部２の受信バッファ７に格納されたパケットデータは、固定ビット長のデータユニットに組立てを行い、ＲＬＣ−ＰＤＵ（Ｒａｄｉｏ Ｌｉｎｋ Ｃｏｎｔｒｏｌ−Ｐｒｏｔｏｃｏｌ Ｄａｔａ Ｕｎｉｔ）８（「ｒＰＤＵ」として図示）として、無線リンク制御部２から、メディアアクセス制御部３へ送信される。
【００４１】
ＲＬＣ−ＰＤＵ８の送信は、無線伝送能力（Ｃａｐａｃｉｔｙ）に従い、一定時間間隔（ＴＴＩ：Ｔｒａｎｓｍｉｓｓｉｏｎ Ｔｉｍｅ Ｉｎｔｅｒｖａｌ）に何個のＲＬＣ−ＰＤＵ８を送信するかによって、送信レート制御を行う。
【００４２】
メディアアクセス制御部３では、無線リンク制御部２から送信されたＲＬＣ−ＰＤＵ８を、ＭＡＣ−ＰＤＵ（Ｍｅｄｉａ Ａｃｃｅｓｓ Ｃｏｎｔｒｏｌ−Ｐｒｏｔｏｃｏｌ Ｄａｔａ Ｕｎｉｔ）９（「ｍＰＤＵ」として図示）に変換し、トランスポートチャネルｄにマッピングを行い、無線基地局装置５に送信する。
【００４３】
ＭＡＣ多重時のパケット通信下りデータ転送では、無線リンク制御部２から送信される複数の論理チャネルｃを、メディアアクセス制御部３で、１つのトランスポートチャネルｄに多重（ＭＡＣ多重）して、データ転送が行われる。
【００４４】
論理チャネルｃの識別は、メディアアクセス制御部３にて、ＭＡＣ−ＰＤＵ Ｈｅａｄｅｒに付与されるＣ／Ｔフィールド１０のパラメータ値により行われる。
【００４５】
各論理チャネルｃの伝送レートは、メディアアクセス制御部３内のフロー制御部１１にて決定される。
【００４６】
無線リンク制御部２では、ＭＡＣ多重の実施の有無は意識することはなく、メディアアクセス制御部３のフロー制御部１１にて、各論理チャネルｃのフロー制御が行われる。
【００４７】
図３は、本発明の一実施例におけるシーケンス例としてのＦＰレイヤによるフロー制御シーケンスが示されている。
【００４８】
図３の［Ｉ］には、ＭＡＣ多重なしによるＦＰレイヤによる制御シーケンスが模式的に示しており、Ｉｕｂインタフェースｂから、最大伝送レート・通知（ａ）にて、トランスポートチャネル（ａ）の最大伝送レートが、メディアアクセス制御部３内のフロー制御部１１へ通知される。
【００４９】
フロー制御部１１では、ＭＡＣ多重なしであるため、Ｉｕｂインタフェースｂから通知された最大伝送レートを対応する１つの論理チャネル（ａ）に全て割り当て、伝送レート・通知（ａ）にて、無線リンク制御部２へ通知する。図３に示す例では、トランスポートチャネル（ａ）の最大伝送レートが１０の場合、１つの論理チャネル（ａ）の送信レートは１０、トランスポートチャネル（ａ）の最大伝送レートが５の場合、１つの論理チャネル（ａ）の送信レートが５に設定される例が模式的に示されている。
【００５０】
図３の［ＩＩ］〜［ＩＶ］では、ＭＡＣ多重ありによるＦＰレイヤによる制御シーケンスを示しており、メディアアクセス制御部３内のフロー制御部１１では、
Ｉｕｂインタフェースｂからのトランスポートチャネル（ｂ）＋（ｃ）の最大伝送レート・通知（ｂ）＋（ｃ）の最大伝送レートと、
論理チャネル（ｂ）、（ｃ）から受信バッファ蓄積量・通知（ｂ）、（ｃ）の受信バッファ蓄積量、
の各通知から、最適な伝送レートを算出し、論理チャネル（ｂ）と（ｃ）に割り当て、伝送レート・通知（ｂ）、（ｃ）にて無線リンク制御部の論理チャネル（ｂ）、（ｃ）へ通知する。
【００５１】
また、フロー制御部１１では、
トランスポートチャネル（ｂ）＋（ｃ）の最大伝送レート、論理チャネル（ｂ）の受信バッファ蓄積量、
論理チャネル（ｃ）の受信バッファ蓄積量
の中で、いずれか１つでも、新たな通知があった場合には、論理チャネル（ｂ）、（ｃ）への最適な伝送レートを算出し、論理チャネル（ｂ）、（ｃ）への伝送レート・通知（ｂ）、（ｃ）を行う。
【００５２】
例えば図３の［ＩＩ］では、Ｉｕｂインタフェースからの最大伝送レート、論理チャネル（ｂ）、（ｃ）からの受信バッファ蓄積量の各通知により、最適な伝送レートを算出し、論理チャネル（ｂ）、（ｃ）への伝送レート・通知（ｂ）、（ｃ）を行う。図３の［ＩＩＩ］では、論理チャネル（ｂ）からの受信バッファ蓄積量の各通知により、論理チャネルの最適な伝送レートを再割り当てし、論理チャネル（ｂ）、（ｃ）への伝送レート・通知（ｂ）、（ｃ）を行う。図３の［ＩＶ］では、論理チャネル（ｃ）からの受信バッファ蓄積量の各通知により、論理チャネルの最適な伝送レートを再割り当てし、論理チャネル（ｂ）、（ｃ）への伝送レート・通知（ｂ）、（ｃ）を行う。
【００５３】
フロー制御部１１での論理チャネル（ｂ）、（ｃ）への最適な伝送レートの算出方法については、後述する。
【００５４】
次に図３のＦＰレイヤによるフロー制御シーケンスの［ＩＩ］〜［ＩＶ］のＭＡＣ多重時のメディアアクセス制御部３内のフロー制御部１１における最適な伝送レートの算出方法について、パケット通信中にリアルタイムに変化するトランスポートチャネル（ｂ）＋（ｃ）の最大伝送レート（「Ｘ」で表す）、論理チャネル（ｂ）の受信バッファ蓄積量（ｂ）（「Ｙ（ｂ）」で表す）、論理チャネル（ｃ）の受信バッファ蓄積量（ｃ）（「Ｙ（ｃ）」で表す）のＦＰレイヤの通知により、メディアアクセス制御部３のフロー制御部１１が算出し、無線リンク制御部２へＦＰレイヤにて通知する論理チャネル（ｂ）、（ｃ）の伝送レート（Ｚ（ｂ）、Ｚ（ｃ）で表す）について、図４に表形式で示した、フロー制御部における伝送レート算出を使用して説明する。なお、図４において、最大伝送レート、受信バッファ蓄積量、伝送レートは数字の重み付けで示す。また（）付の数字は前の状態のままであることを示す。
【００５５】
図４のＩＩでは、Ｘ＝１０、Ｙ（ｂ）＝１４、Ｙ（ｃ）＝６がフロー制御部１１に通知された例を示す。
【００５６】
論理チャネル（ｂ）、（ｃ）の伝送レートＺ（ｂ）、Ｚ（ｃ）は、それぞれ次式（１）、（２）で算出される。
【００５７】
Ｚ（ｂ）＝｛Ｘ／（Ｙ（ｂ）＋Ｙ（ｃ））｝×Ｙ（ｂ）    ・・・（１）
【００５８】
Ｚ（ｃ）＝｛Ｘ／（Ｙ（ｂ）＋Ｙ（ｃ））｝×Ｙ（ｃ）    ・・・（２）
【００５９】
式（１）、（２）に、Ｘ＝１０、Ｙ（ｂ）＝１４、Ｙ（ｃ）＝６を代入することで、Ｚ（ｂ）＝７、Ｚ（ｃ）＝３を算出することができる。
【００６０】
図４のＩＩＩでは、ＩＩのパケット通信状態における、論理チャネル（ｂ）の受信バッファ蓄積量Ｙ（ｂ）が１４から６に変化した例を示す。
【００６１】
Ｙ（ｂ）の状態が変化したことを契機に、各論理チャネルの伝送レートを、式（１）、式（２）により、算出する。その結果、Ｚ（ｂ）＝５、Ｚ（ｃ）＝５が得られる。
【００６２】
図４のＩＶでは、ＩＩＩのパケット通信状態において、トランスポートチャネル（ｂ）＋（ｃ）の最大伝送レートＸが１０から４に変化した例を示す。
【００６３】
トランスポートチャネル（ｂ）＋（ｃ）の最大伝送レートＸの状態が変化したことを契機に、各論理チャネルの伝送レートを、式（１）、式（２）により算出する。その結果、Ｚ（ｂ）＝２、Ｚ（ｃ）＝２が得られる。
【００６４】
このように、各論理チャネルへの伝送レートの割り当ては、トランスポートチャネルの最大伝送レート、各論理チャネルの受信バッファ蓄積量の比率により算出することで、最適なフロー制御が可能となる。
【００６５】
上記した本実施例の作用効果を以下に説明する。
【００６６】
本実施例においては、トランスポートチャネルの最大伝送レートと多重元の各論理チャネルの受信バッファ蓄積量を用いているので、最適に各論理チャネルの伝送レートを算出することができる。
【００６７】
本実施例においては、パケット通信中の状態変化をリアルタイムにＦＰレイヤにて通知しているので、各論理チャネルの伝送レートをリアルタイムに算出し、ＦＰレイヤで通知することができる。
【００６８】
本実施例においては、単純な式で各論理チャネルの伝送レートを算出できるので、フロー制御部が容易な構成にて実現できる。
【００６９】
本発明の他の実施例について説明する。本発明の他の実施例においては、その基本的構成は、前記した実施例と同様であるが、メディアアクセス制御部にフロー制御部を設け、データリンクレイヤにてフロー制御を実現していることから、フロー制御部に他の情報（例えばサービス特有の論理チャネル毎のプライオリティ等）を用いて伝送レート決定することも容易に実現することができる。
【００７０】
移動体パケット通信ノードシステムの高速なパケット通信サービスの一例として、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）がある。ＨＳＤＰＡでは、ユーザに対する高速なパケット通信サービスが提供されることから、ＭＡＣ多重におけるパケット通信サービスでのフロー制御方式が重要になるが、本発明のフロー制御により最適に、且つリアルタイムにフロー制御を行うことが可能になる。
【００７１】
以上、本発明を上記実施例に即して説明したが、本発明は上記実施例の構成にのみ制限されるものでなく、本発明の範囲内で当業者であればなし得るであろう各種変形、修正を含むことは勿論である。
【図面の簡単な説明】
【００７２】
【図１】本発明の一実施例のシステム構成を示す図である。
【図２】本発明の一実施例の無線制御装置の構成を模式的に示す図である。
【図３】本発明の一実施例におけるFPレイヤによるフロー制御シーケンスを模式的に示す図である。
【図４】本発明の一実施例のフロー制御部での伝送レート算出を一覧形式で例示した図である。
【符号の説明】
【００７３】
１  無線制御装置
２  無線リンク制御部
３  メディアアクセス制御部
４  コアネットワーク
５  無線基地局装置
６  移動機
７  受信バッファ
８  ＲＬＣ−ＰＤＵ
９  ＭＡＣ−ＰＤＵ
１０  Ｃ／Ｔフィールド
１１  フロー制御部
ａ  Ｉｕインタフェース
ｂ  Ｉｕｂインタフェース
ｃ  論理チャネル
ｄ  トランスポートチャネル
【図１】
0004810259.tif 000002
【図２】
0004810259.tif 000003
【図３】
0004810259.tif 000004
【図４】
0004810259.tif 000005